(57)【要約】  スリープモードにおけるトラフィック・インディケーション・メッセージ送信方法及びデバイスが開示される。前記方法は、トラフィックインディケーンメッセージをＭＳＳへ送信するＢＳと、前記メッセージ内でスリープグループの送信トラフィック表示形式を識別するために設置されるフラグビットとを具備する。前記ＭＳＳは、前記メッセージを受信、且つ前記フラグビットに基づく各スリープグループに対してトラフィック送信表示が存在するか否かを判断するとともに、存在すれば、前記ＭＳＳのスリープグループ状態を不活性状態に変え、且つ前記トラフィックを受信する。存在しなければ、前記ＭＳＳのスリープグループの状態をアクティブのまま維持する。
2008547254.tif 000002
【特許請求の範囲】
【請求項１】
スリープグループにあるモバイル加入者局がアクティブ状態であるとき、スリープモードにおけるトラフィック・インディケーション・メッセージを転送する方法であって、前記方法は、
基地局による前記トラフィック・インディケーション・メッセージをモバイル加入者局へ転送する段階であり、前記メッセージは、スリープグループのトラフィック送信用表示モードを表示するためのフラグを有する転送段階と、
前記トラフィック・インディケーション・メッセージを受信時に、各スリープグループが前記フラグに対応する前記トラフィック転送用表示モードに従うトラフィック転送インディケーションを有するか否かを、モバイル加入者局によりチェックする段階とを具備し、
スリープグループが前記トラフィック・インディケーションを有する場合、前記モバイル加入者局は、トラフィックを受信するためにスリープグループに対応する状態を不活性状態に変化させ、
スリープグループが前記トラフィック・インディケーションを有さない場合、前記モバイル加入者局は、アクティブ状態のスリープグループを継続する方法。
【請求項２】
前記トラフィック・インディケーション・メッセージ内の前記フラグは、数個の前記トラフィック転送用モードを各々表示する数個のビットを有する請求項１に記載の方法。
【請求項３】
前記トラフィック転送用表示モードは、マップ表示と、スリープグループ識別子表示と、ショート・ベーシック接続識別子表示とを具備する請求項１または２に記載の方法。
【請求項４】
前記フラグにより表示された前記トラフィック転送用表示モードが前記スリープグループ識別子表示であるとき、前記スリープグループ識別子の個数は、またトラフィック・インディケーション・メッセージ内で転送される請求項３に記載の方法。
【請求項５】
前記数個のビットにおいて、「１」であるビットは、前記ビットに対応する前記トラフィック転送用表示モードが使用されたことを表し、「０」であるビットは、前記ビットに対応する前記トラフィック転送用表示モードが使用されなかったことを表す請求項２に記載の方法。
【請求項６】
前記フラグのビットにおいて、「１」であるビットは、前記ビットに対応する前記トラフィック転送用表示モードの数個が同時に使用されたことを表す請求項２に記載の方法。
【請求項７】
各スリープグループが前記トラフィック転送表示を有するか否かを判定する段階は、前記トラフィック転送用表示モードが前記スリープグループ識別子表示であるとき、前記モバイル加入者局は、前記スリープグループ識別子に対応する前記スリープグループがトラフィック受信を必要としているかを判定する請求項１に記載の方法。
【請求項８】
スリープモードでトラフィック・インディケーション・メッセージを転送する方法であって、スリープグループにあるモバイル加入者局がアクティブ状態であるとき、前記方法は、
基地局により前記トラフィック・インディケーション・メッセージをモバイル加入者局へ転送し、トラフィック受信の必要性に応じてスリープグループを表示するために前記トラフィック・インディケーション・メッセージ内のスリープグループ識別子を設定する段階と、
前記トラフィック・インディケーション・メッセージを受信時に、トラフィックを受信するためにスリープグループに対応する状態を、モバイル加入者局により不活性状態に変化させる段階とを具備する方法。
【請求項９】
スリープモードにおけるトラフィック・インディケーション・メッセージを転送する装置であって、前記装置は、
スリープグループがトラフィック受信の必要性を表示するために前記トラフィック・インディケーション・メッセージ内のスリープグループ識別子を設定するためのフラグ情報設定部と、
前記トラフィック・インディケーション・メッセージを転送するための転送部とを具備する装置。
【請求項１０】
前記装置は、基地局内にある請求項９に記載の装置。
【発明の詳細な説明】
【技術分野】
【０００１】
本発明は、モバイルコミュニケーション分野、及び特に基地局（ＢＳ）からモバイル加入者局（ＭＳＳ）へスリープモードでトラフィック・インディケーション・メッセージを転送するための方法及び装置に関する。
【背景技術】
【０００２】
モバイルコミュニケーションシステムにおいて、連続待ち受け時間は、加入者端末の自由な移動に強く影響される。この連続待ち受け時間を長くするために２つのアプローチが使用される、即ち、一方は、高性能なバッテリーの使用であり、他方は、モバイル端末の無意味な消費電力の削減である。電気電子技術者協会（IEEE）802.16eは、モバイルブロードバンド無線アクセスシステム向けに規定されている標準規格であり、IEEE 802.16e/D8に定義されたモバイル端末のスリープモードは、後者のアプローチである。前記スリープモードは、エアインターフェースがモバイル端末及びＢＳによりあらかじめネゴシエイトされた区間内のＢＳとの接続を一時的に遮断する間のプロセスに関するものである。前記スリープモードの遂行は、アップリンク及びダウンリンクにおけるモバイル端末の転送要求を減らし、それによってＭＳＳの消費電力を減らすことになる。
【０００３】
前記ＭＳＳは、供給基地局（供給ＢＳ）へ向けて、スリープモードに入ることを要求するために、ＭＯＢ_ＳＬＰ_ＲＥＱというスリープ要求メッセージを活発に送信する。前記供給ＢＳは、ＭＳＳのスリープモードに入ることを承認するか否認するかを表示するために、ＭＯＢ_ＳＬＰ_ＲＳＰというスリープ応答メッセージを応答する。随時、前記ＢＳは、また、ＭＳＳをスリープモードに入ることを要求するために、ＭＯＢ_ＳＬＰ_ＲＳＰというメッセージを活発に送信し、次いで、メッセージを受信すると、ＭＳＳは、通常、ＭＯＢ_ＳＬＰ_ＲＳＰメッセージ内に転送されたパラメータに従って前記スリープモードに入る。
【０００４】
上述のカレントプロトコルは、現在、以下のことを規定している。即ち、前記ＭＳＳは、カレントサービスストリームをサービスの質（ＱｏＳ）の要求及び前記ストリームの特徴に従ってスリープグループの３つのクラスに分類するために、前記ＢＳとネゴシエーションし、異なるスリープ戦略を異なるクラスのスリープグループへ使用する。各クラスは、多数のスリープグループを有し、同一のスリープ戦略及び異なるスリープパラメータは、同一のクラスのスリープグループ間に使用されるとともに、前記スリープパラメータは、各グループ内に具備されるトラフィックの特徴に従って選択される。各スリープグループは、多数のサービスストリームを具備するとともに、次いで、各サービスストリームは、前記ＭＳＳとＢＳ間のトラフィック接続を表す。前記接続は、アップリンクであるかダウンリンクであるかの何れかであり、かつ16ビット接続識別子（ＣＩＤ）により識別される。各スリープグループのスリープ状態は、アクティブ状態及び不活性状態を有する。アクティブ状態において、前記スリープグループのスリープ状態にある機器は、通常に作動する。一方、不活性状態において、前記スリープグループのスリープ状態にある機器は、作動を休止及び停止する。ＭＳＳには多くのスリープグループが存在し、各スリープグループの遮断ウィンドウが重複しない前記時間間隔は、利用不可能期間であるとともに、前記利用不可能期間に重複しない他の時間間隔は、利用可能期間である。実際、ＭＳＳは、利用不可能期間にあるときのみスリープモードへ入るとともに、しばらくの間、前記ＭＳＳの全スリープグループがスリープウィンドウ状態にある。利用可能期間では、あるスリープグループが、スリープウィンドウ状態にある一方で、他のスリープグループが遮断状態にあるとともに、実際、前記ＭＳＳが覚醒状態であり、次いで異なるスリープグループのスリープ状態にある機器だけが異なる状態にある。
【０００５】
Ｐｏｗｅｒ_Ｓａｖｉｎｇ_Ｃｌａｓｓ_Ｔｙｐｅ＝１という式は、スリープグループの第１クラスとして定義され、通常、厳密なリアルタイム要求なしのトラフィックに対し使用される。前記第１クラスのスリープ戦略は、遮断ウィンドウに対し固定長及びスリープウィンドウに対し可変長として使用され、前記遮断ウィンドウと前記スリープウィンドウは交互に発生するとともに、カレントスリープウィンドウの長さは、前回のスリープウィンドウの長さより２倍である。次いで前記スリープウィンドウは、その長さを維持し、且つ規定された最大値に届くまで遮断ウィンドウと交互に発生する。
【０００６】
Ｐｏｗｅｒ_Ｓａｖｉｎｇ_Ｃｌａｓｓ_Ｔｙｐｅ＝２という式は、スリープグループの第２クラスとして定義され、通常、定期的なデータ転送のトラフィックに対して使用される。前記第２クラスのスリープ戦略は、遮断ウィンドウに対し固定長及びスリープウィンドウに対し固定長として使用されるとともに、前記遮断ウィンドウと前記スリープウィンドウは交互に発生する。前記スリープグループのスリープ状態にある機器は、ＭＳＳ又はＢＳがスリープ状態の変化要求を初期化し、且つスリープ状態を不活性状態へ設定するまで停止しないことになる。
【０００７】
Ｐｏｗｅｒ_Ｓａｖｉｎｇ_Ｃｌａｓｓ_Ｔｙｐｅ＝３という式は、スリープグループの第３クラスとして定義され、通常、マルチキャストトラフィックに対して使用される。前記第３クラスのスリープ戦略は、前記スリープウィンドウがタイムアウトになった後、前記スリープウィンドウが一度だけ配置される。前記スリープグループのスリープ状態は、不活性状態であるとともに、スリープ状態にある機器は、停止する。次いで、前記スリープグループのスリープ状態は、ＭＳＳ又はＢＳがメッセージ対話を介してこのグループのスリープ状態にある機器を再活性化するまでアクティブにならない。
【０００８】
スリープグループの第１クラスに対して、前記ＢＳは、このスリープグループのサービスストリームに対するトラフィックデータが存在するか否かを表示するために、スリープグループの遮断ウィンドウ内のトラフィック・インディケーション・メッセージＭＯＢ_ＴＲＦ_ＩＮＤを転送する。利用可能期間におけるＭＳＳ内第１クラスの各スリープグループにより受信されたトラフィック・インディケーション・メッセージが、前記スリープグループに対して存在するトラフィックデータを表示する場合、前記スリープグループのスリープ状態は、不活性状態へ変化されるとともに、スリープ状態にある機器は休止される。それにもかかわらず、スリープグループのスリープ状態は、アクティブ状態のままであるとともに、スリープ状態の機器は、通常通り動作し、かつ遮断ウィンドウが終了した後にスリープ状態に入る。即ち、スリープグループのサービスストリームに対するトラフィックデータが存在する場合、前記スリープグループのスリープ状態は、不活性状態に変化されるとともに、スリープ状態にある機器は、休止される。
【０００９】
図１は、１つのＭＳＳ内に２つのスリープグループのスリープ状態を図示した概念図であり、前記第１スリープグループ１１０は、スリープグループの第１クラスであり、ＢＳは、固定長をもつ遮断ウィンドウ１１１と前回のスリープウィンドウの長さの２倍であるスリープウィンドウ１１２とを割り当てる。次いで、第２スリープグループ１２０は、スリープグループの第２クラスであり、前記ＢＳは、固定長を持つ遮断ウィンドウ１２１と固定長を持つスープウィンドウ１２２を割り当てる。斜線エリア１３０は、統合されたスリープグループの２つのクラスの効果を図示している。影１３１を有する斜線エリアは、利用可能期間を表し、影１３２の無い斜線部は、利用不可能期間を表している。
【００１０】
ここで、前記802.16e/D8案には、トラフィック・インディケーション・メッセージを設計するために次のように規定されている。即ち、
【００１１】
１．トラフィック・インディケーション・メッセージは、スリープグループの第１クラスに対してのみ配置される。
【００１２】
２．ＢＳは、トラフィック・インディケーション・メッセージを転送することにより、第１クラスのスリープのアクティブ状態を停止する。
【００１３】
３．ＭＳＳがスリープ要求メッセージＭＯＢ_ＳＬＰ_ＲＥＱ内のフラグＴＲＦ_ＩＮＤ_Ｒｅｑｕｉｒｅｄを設定すると、次いで、ＭＳＳが利用可能期間におけるトラフィック・インディケーション・メッセージＭＯＢ_ＴＲＦ_ＩＮＤを受信しなければ、スリープグループの状態は、利用可能期間が終了した後、自動的に不活性状態になる。
【００１４】
４．スリープグループの第１クラスに対して、前記ＢＳは、スリープグループ識別子（ＳＬＰＩＤ）を各スリープグループに各ＭＳＳ内の異なるスリープグループを表示する（各スリープグループは、一つのＳＬＰＩＤに対応する）ために割り当てる。前記ＢＳは、アックスリープグループがトラフィック・インディケーション・メッセージＭＯＢ_ＴＲＦ_ＩＮＤ内のＳＬＰＩＤを介して転送されるトラフィックを有するか否かを表示する。
【００１５】
このモードにおいて、前記トラフィック・インディケーションは、ＳＬＰＩＤの基準で実行されるとともに、スリープグループに関連されたトラフィック・インディケーションは、２つのテーブル、ＳＬＰＩＤグループ・インディケーションｂｉｔ_ｍａｐ及びトラフィック・インディケーションｂｉｔ_ｍａｐを使用することにより実行される。
【００１６】
前記ＳＬＰＩＤグループ・インディケーションｂｉｔ_ｍａｐは、図２に図示される。１０２４個のＳＬＰＩＤが３２個のトラフィック・インディケーション部に分配され、各トラフィック・インディケーション部は、３２個のＳＬＰＩＤを有するとともに、各トラフィック・インディケーション部は、前記ＳＬＰＩＤグループ・インディケーションｂｉｔ_ｍａｐｂｉｔ_ｍａｐ内の１ビットに対応する。
【００１７】
各ビットの意味は、以下の通りである。即ち、
【００１８】
０：ビットに対応するトラフィック・インディケーション部のＳＬＰＩＤに対応し、トラフィック・インディケーションを有するスリープグループがない。
【００１９】
１：ビットに対応するトラフィック・インディケーション部のＳＬＰＩＤに対応し、トラフィック・インディケーションを有するスリープグループが少なくとも１つある。
【００２０】
前記トラフィック・インディケーションｂｉｔ_ｍａｐは、図３に図示される。前記トラフィック・インディケーションｂｉｔ_ｍａｐは、数個のトラフィック・インディケーション部とを有するとともに、これらトラフィック・インディケーション部は、ＳＬＰＩＤグループ・インディケーションｂｉｔ_ｍａｐ内の１のビットに次々と対応するトラフィック・インディケーション部に対応する。各トラフィック・インディケーション部は、３２ビット有するとともに、各ビットは、トラフィック・インディケーション部の１つのＳＬＰＩＤに対応し、０のビットは、ＳＬＰＩＤに対応するスリープグループのトラフィックがないことを表し、且つ１のビットは、ＳＬＰＩＤに対応するスリープグループがトラフィックを有することを表す。
【００２１】
５．ＭＳＳにおける全てのスリープグループがトラフィック・インディケーションを有するか、全くトラフィック・インディケーションを有さないかの場合、ショート・ベーシック接続識別子（ショート・ベーシックＣＩＤ）方法は、ＭＳＳの各スリープグループを統一的に表示するために使用されるとともに、スリープグループがトラフィック・インディケーションを有する場合、前記ＭＳＳのショート・ベーシックＣＩＤが記載される。前記スリープグループがトラフィック・インディケーションを有さない場合、ＭＳＳのショート・ベーシックＣＩＤは記載されない。
【００２２】
上述の解決策は、マップ表示方法及びショート・ベーシック接続識別子表示方法として当業者によって一般的に参照される。
【００２３】
前記プロトコルに規定された前記トラフィック・インディケーション・メッセージＭＯＢ_ＴＲＦ_ＩＮＤのフォーマットは、表１に記載される。
【表１】
2008547254.tif 000003
【発明の開示】
【発明が解決しようとする課題】
【００２４】
802.16e/D8案の前記トラフィック・インディケーション・メッセージＭＯＢ_ＴＲＦ_ＩＮＤをＢＳからＭＳＳへ転送する解決策は、次のような欠点を持つ。即ち、
【００２５】
１．前記マップ方法は、いつＳＬＰＩＤを有するスリープトラフィック・インディケーションを実行するかを承認する。しかし、いくつかのケースにおいて、例えば、トラフィックデータを有するスリープグループが２，３個しかない場合、前記マップ方法は、多くの帯域幅リソースを費やす。
【００２６】
２．上述の解決策の設計は、十分なほど柔軟ではなく、且つ、前記トラフィック・インディケーションは、１つのＳＬＰＩＤマップ方法及びショート・ベーシックＣＩＤ方法のうち１つの使用によってのみ、実行され、ネットワークに負荷を加える。
【課題を解決するための手段】
【００２７】
本発明の実施例は、ＢＳからＭＳＳまでトラフィック・インディケーション・メッセージを転送するための方法及び装置を提供し、帯域幅リソースがセーブされ、トラフィック・インディケーション・メッセージのバイト・オーバヘッドが削減され、且つ、設計する解決策は、より柔軟である。
【００２８】
スリープグループにあるＭＳＳがアクティブ状態であるとき、スリープモードにおけるトラフィック・インディケーション・メッセージを転送する方法は、
ＢＳによるトラフィック・インディケーション・メッセージをＭＳＳへ転送する段階であり、前記メッセージは、スリープグループのトラフィック送信用表示モードを表示するフラグを有する転送段階と、
前記トラフィック・インディケーション・メッセージを受信時に各スリープグループが前記フラグに対応する前記トラフィック転送用表示モードに従うトラフィック転送インディケーションを有するか否かを、ＭＳＳによりチェックする段階とを具備し、
スリープグループが前記トラフィック・インディケーションを有する場合、前記ＭＳＳは、トラフィックを受信するためにスリープグループに対応する状態を不活性状態に変化させ、
スリープグループが前記トラフィック・インディケーションを有さない場合、前記ＭＳＳは、アクティブ状態のスリープグループを継続する。
【００２９】
前記トラフィック・インディケーション・メッセージの前記フラグは、前記トラフィック転送の数個のモードを各々表示する数個のビットを有する。
【００３０】
前記トラフィック転送の表示モードは、マップ表示と、ＳＬＰＩＤ表示と、ショート・ベーシック接続識別子表示とを具備する。
【００３１】
前記フラグにより表示された前記トラフィック転送用表示モードが前記スリープグループ識別子表示であるとき、前記ＳＬＰＩＤの個数は、またトラフィック・インディケーション・メッセージ内で転送される。
【００３２】
前記数個のビットにおいて、「１」であるビットは、前記ビットに対応する前記トラフィック転送用表示モードが使用されたことを表し、「０」であるビットは、前記ビットに対応する前記トラフィック転送用表示モードが使用されなかったことを表す。
【００３３】
前記フラグのビットにおいて、「１」であるビットは、前記ビットに対応する前記トラフィック転送用表示モードの数個が同時に使用されたことを表す。
【００３４】
各スリープグループが前記トラフィック転送表示を有するか否かを判定する段階は、前記トラフィック転送用表示モードが前記ＳＬＰＩＤ表示であるとき、前記スリープグループ識別子に対応する前記スリープグループがトラフィック受信を必要としているかを判定する前記ＭＳＳを具備する。
【００３５】
スリープモードにおけるトラフィック・インディケーション・メッセージを転送する方法であって、スリープグループにあるＭＳＳがアクティブ状態であるとき、前記方法は、
ＢＳにより前記トラフィック・インディケーション・メッセージをＭＳＳへ転送し、トラフィック受信の必要性に応じてスリープグループを表示するために前記トラフィック・インディケーション・メッセージ内のＳＬＰＩＤを設定する段階と、
前記トラフィック・インディケーション・メッセージを受信時に、トラフィックを受信するためにスリープグループに対応する状態を、ＭＳＳにより、不活性状態に変化させる段階とを具備する。
【００３６】
スリープモードでトラフィック・インディケーション・メッセージを転送する装置であって、前記装置は、
スリープグループがトラフィック受信の必要性を表示するためにトラフィック・インディケーション・メッセージ内のＳＬＰＩＤスリープグループを設定するためのフラグ情報設定部と、
前記トラフィック・インディケーション・メッセージを転送するための転送部とを具備する。
【００３７】
前記装置は、基地局内にある。
【００３８】
本発明の実施形態による解決策において、ＭＳＳがスリープモードであるとき、前記ＢＳは、スリープグループのトラフィック転送用表示モードを表示するために、トラフィック・インディケーション・メッセージを転送するとともに、トラフィック転送用モードのいくつかは、柔軟に運ばれる。したがって、ただ一つのトラフィック転送用表示モードが選択されるという問題が避けられるとともに、トラフィック・インディケーション・メッセージのオーバヘッドは、減少され、且つエアインターフェースリソースは、セーブされる。
【発明を実施するための最良の形態】
【００３９】
本発明のいくつかの実施例が下記に添付された図を参照することによってさらに記載される。
【００４０】
本発明の実施例の解決策は、以下の前提状態において、トラフィック・インディケーション・メッセージのバイト・オーバヘッドをセーブする。即ち、ＭＳＳは、トラフィック・インディケーション・メッセージを介してトラフィック・インディケーション方法の対応を得ることを確保するという前提である。したがって、本発明の実施例によると、オリジナル・トラフィック・インディケーション・メッセージＭＯＢ_ＴＲＦ_ＲＥＱは、改良されるとともに、ＳＬＰＩＤを有する表示方法が、直接追加される。随時、オリジナル・インディケーション・フォーマットもまた、改良されるとともに、フラグのサイズ（ＦＭＴ）は、１ビットから３ビットまでの範囲となる。例えば、先の２つの排他的な表示解決策は、同時に選択され得る３つの表示解決策へと改良される。各表示ビットは、１つのトラフィック・インディケーション方法に対応し、「１」のビットは、ビットに対応するトラフィック・インディケーション方法が使用されたことを表し、「０」のビットは、ビットに対応するトラフィック・インディケーション方法が使用されないことを表す。改良されたＭＯＢ_ＴＲＦ_ＩＮＤメッセージのフォーマットは、表２に記載される。
【表２】
2008547254.tif 000004
【００４１】
図４は、本発明の実施例に従って、スリープモードにおけるトラフィック・インディケーション・メッセージを転送するための方法のフローチャートを図示する概略図であるとともに、図４に示されているように、本発明の実施例は、主に下記の記載を具備する。即ち、
【００４２】
Ｓ１．ＢＳはＭＳＳへトラフィック・インディケーション・メッセージを転送する。
【００４３】
前記ＢＳは、ＭＳＳへトラフィック・インディケーション・メッセージを転送するとともに、フラグは、スリープグループのトラフィック転送用表示モードを表示するために、トラフィック・インディケーション・メッセージ内に設定される。前記フラグは、３ビットを占めるとともに、個々の内容は、マップ表示方法が使用されたか否か、ＳＬＰＩＤ表示方法が使用されたか否か、及びショート・ベーシックＣＩＤ表示方法が使用されたか否か、を前記３ビットにより表示される。「０」のビットは、表示方法に対応するものが使用されないことを表し、「１」のビットは、表示方法に対応するものが使用されたことを表す。
【００４４】
Ｓ２．前記ＭＳＳは、トラフィック・インディケーション・メッセージを受信し、且つ、前記フラグの情報を抽出する。
【００４５】
前記ＭＳＳは、トラフィック・インディケーション・メッセージからフラグ情報を抽出するとともに、前記上述された３ビットは、フラグ情報を有するために使用される。
【００４６】
Ｓ３．前記フラグ情報に対応するトラフィック・インディケーション方法は、各スリープグループに対する前記トラフィック転送表示が存在するか否かを判定するために使用されるとともに、各スリープグループに対する前記トラフィック転送表示が存在する場合、ステップＳ４へと進む。各スリープグループに対する前記トラフィック転送表示が存在しない場合、ステップＳ５へと進む。
【００４７】
前記ＭＳＳは、前記３ビットの設定段階に従ってトラフィック・インディケーション・メッセージ内で使用されるトラフィック・インディケーション方法を獲得する。
【００４８】
前記３ビットは、同時に「０」又は「１」を全て一緒に設定されることが可能で、また、部分的に「０」又は「１」を設定されることが可能である。これは、本発明の実施例に従う解決策が従来技術よりも柔軟であることを表す。
【００４９】
Ｓ４．前記ＭＳＳは、トラフィックが転送されるように表示され、スリープグループの状態を不活性状態へと変化させ、且つトラフィックを受信する。
【００５０】
判定結果に従って、スリープグループに対するトラフィック転送表示が存在する場合、転送命令が存在することを表すとともに、ＭＳＳは、スリープグループの状態を不活性状態へと変化させ、トラフィックを受信する。
【００５１】
Ｓ５．前記ＭＳＳは、アクティブ状態におけるスリープグループを維持する。
【００５２】
判定結果に従って、スリープグループに対するトラフィック転送表示が存在しない場合、トラフィック転送命令が存在しないことを表すとともに、ＭＳＳは、スリープグループを活性状態のまま維持する。
【００５３】
図５は、前記フラグに従ってトラフィック転送方法のタイプを決定するためのフローチャートを図示した概略図であり、この実施例は、以下の記載を具備する。即ち、ステップ５１は、フラグを抽出する。続いて、ステップ５２は、フラグの情報を分割する。続いて、ステップ５３１は、フラグのＢｉｔ０が１に等しい場合、マップ表示方法が使用されることを表す。さらに、フラグのＢｉｔ１が１に等しい場合、ＳＬＰＩＤ表示方法が使用されることを表すとともに、フラグのＢｉｔ２が１に等しい場合、ショート・ベーシック表示方法が使用されることを表す。
【００５４】
即ち、本発明の実施例に従って、マップ表示、ＳＬＰＩＤ識別子ショート・ベーシックＣＩＤ表示を有するフラグの設定は、トラフィック転送の次の表示モード、によって送信される。
【００５５】
本発明の実施例に従って、ＳＬＰＩＤを直接使用する表示モードは、メッセージ内のトラフィック受信を必要としているスリープグループを直接表示する方法に関連する。
【００５６】
前記フラグにより表示されるトラフィック転送用表示モードがＳＬＰＩＤ表示方法であるとき、ＳＬＰＩＤの個数は、またトラフィック・インディケーション・メッセージ内で転送される。
【００５７】
本発明の実施例において、前記フラグは、スリープグループのトラフィック転送のモードを表示するために、トラフィック・インディケーション・メッセージ内に設定され、且つ多数のトラフィック表示方法が柔軟に転送される。したがって、ただ一つのトラフィック転送用表示モードが選択されるという問題が避けられるとともに、トラフィック・インディケーション・メッセージのオーバヘッドは、出来る限り減らされ、且つ、エアインターフェースリソースは、著しくセーブされる。
【００５８】
本発明の実施例に従って、スリープモードにおけるトラフィック・インディケーション・メッセージを転送するための装置は、以下の記載を具備する。即ち、前記装置は、
【００５９】
スリープモードでトラフィック・インディケーション・メッセージにおけるフラグ情報を設定し、スリープグループのトラフィック転送用表示モードを表示するためのフラグ情報設定部と、
【００６０】
トラフィック・インディケーション・メッセージを転送するための転送部とを具備し、
前記トラフィック転送用表示モードは、単一モードまたは、少なくとも２つのモードの組み合わせである。
【００６１】
前記装置は、ＢＳ内に存在する。
【００６２】
本発明は、いくつかの好ましい実施例を用いて図示され且つ記載されてきたが、本発明は、これらに限定されるものではない。添付する請求項に記載された本発明の精神及び範囲から逸脱することなく、多様な変形例及び改良がなされることが、当業者には、当然理解される。
【図面の簡単な説明】
【００６３】
【図１】図１は、先行技術によるスリープグループの状態を図示する概略図である。
【図２】図２は、先行技術によるＳＬＰＩＤグループ・インディケーションｂｉｔ_ｍａｐの配置を図示した概略図である。
【図３】図３は、先行技術によるトラフィック・インディケーションｂｉｔ_ｍａｐの配置を図示した概略図である。
【図４】図４は、本発明の実施例によるスリープモード内のトラフィックメッセージを転送するための方法のフローを図示する概略図である。
【図５】図５は、本発明の実施例によるトラフィック転送用表示モードを確認するためのフローを図示する概略図である。
【符号の説明】
【００６４】
１１０  第１スリープグループ
１２０  第２スリープグループ
１３０  第３スリープグループ
【図１】
2008547254.tif 000005
【図２】
2008547254.tif 000006
【図３】
2008547254.tif 000007
【図４】
2008547254.tif 000008
【図５】
2008547254.tif 000009
【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
スリープグループにあるモバイル加入者局がアクティブ状態であるとき、スリープモードにおけるトラフィック・インディケーション・メッセージを転送する方法であって、前記方法は、
基地局による前記トラフィック・インディケーション・メッセージをモバイル加入者局へ転送する段階であり、前記メッセージは、スリープグループのトラフィック送信用表示モードを表示するためのフラグを有する転送段階と、
前記トラフィック・インディケーション・メッセージを受信時に、各スリープグループが前記フラグに対応する前記トラフィック転送用表示モードに従うトラフィック転送インディケーションを有するか否かを、モバイル加入者局によりチェックする段階とを具備し、
スリープグループが前記トラフィック・インディケーションを有する場合、前記モバイル加入者局は、トラフィックを受信するためにスリープグループに対応する状態を不活性状態に変化させ、
スリープグループが前記トラフィック・インディケーションを有さない場合、前記モバイル加入者局は、アクティブ状態のスリープグループを継続する方法。
【請求項２】
前記フラグは、少なくとも１ビットを具備する請求項１に記載の方法。
【請求項３】
前記トラフィック・インディケーション・メッセージ内の前記フラグは、数個の前記トラフィック転送用モードを各々表示する数個のビットを有する請求項１に記載の方法。
【請求項４】
前記トラフィック転送用表示モードは、マップ表示と、スリープグループ識別子表示と、ショート・ベーシック接続識別子表示とを具備する請求項１または３に記載の方法。
【請求項５】
前記フラグにより表示された前記トラフィック転送用表示モードが前記スリープグループ識別子表示であるとき、前記スリープグループ識別子の個数は、またトラフィック・インディケーション・メッセージ内で転送される請求項４に記載の方法。
【請求項６】
前記数個のビットにおいて、「１」であるビットは、前記ビットに対応する前記トラフィック転送用表示モードが使用されたことを表し、「０」であるビットは、前記ビットに対応する前記トラフィック転送用表示モードが使用されなかったことを表す請求項３に記載の方法。
【請求項７】
前記フラグのビットにおいて、「１」であるビットは、前記ビットに対応する前記トラフィック転送用表示モードの数個が同時に使用されたことを表す請求項３に記載の方法。
【請求項８】
各スリープグループが前記トラフィック転送表示を有するか否かを判定する段階は、前記トラフィック転送用表示モードが前記スリープグループ識別子表示であるとき、前記モバイル加入者局は、前記スリープグループ識別子に対応する前記スリープグループがトラフィック受信を必要としているかを判定する請求項１に記載の方法。
【請求項９】
スリープモードでトラフィック・インディケーション・メッセージを転送する方法であって、スリープグループにあるモバイル加入者局がアクティブ状態であるとき、前記方法は、
基地局により前記トラフィック・インディケーション・メッセージをモバイル加入者局へ転送し、トラフィック受信の必要性に応じてスリープグループを表示するために前記トラフィック・インディケーション・メッセージ内のスリープグループ識別子を設定する段階と、
前記トラフィック・インディケーション・メッセージを受信時に、トラフィックを受信するためにスリープグループに対応する状態を、モバイル加入者局により不活性状態に変化させる段階とを具備する方法。
【請求項１０】
スリープモードにおけるトラフィック・インディケーション・メッセージを転送する装置であって、前記装置は、
スリープグループがトラフィック受信の必要性を表示するために前記トラフィック・インディケーション・メッセージ内のスリープグループ識別子を設定するためのフラグ情報設定部と、
前記トラフィック・インディケーション・メッセージを転送するための転送部とを具備する装置。
【請求項１１】
前記装置は、基地局内にある請求項１０に記載の装置。
【請求項１２】
モバイル加入者局は、
基地局からのトラフィック・インディケーション・メッセージを受信するために適合され、スリープグループのトラフィック転送用表示モードを表示するためのフラグを有する受信部と、
各スリープグループは、前記フラグに対応するトラフィック転送用表示モードに従ってトラフィック転送インディケーションを有するか否かをチェックするために適合されるチェック部とを具備し、
スリープグループが前記トラフィック・インディケーションを有する場合、前記モバイル加入者局は、スリープグループに対応する状態を不活性状態に変化させ、
スリープグループが前記トラフィック・インディケーションを有さない場合、前記モバイル加入者局は、アクティブ状態のスリープグループを継続する方法。
【手続補正３】
【補正対象書類名】明細書
【補正対象項目名】００５３
【補正方法】変更
【補正の内容】
【００５３】
図５は、前記フラグに従ってトラフィック転送方法のタイプを決定するためのフローチャートを図示した概略図であり、この実施例は、以下の記載を具備する。即ち、ステップ５１は、フラグを抽出する。続いて、ステップ５２は、フラグの情報を分割する。続いて、ステップ５３１は、フラグのＢｉｔ０が１に等しい場合、マップ表示方法が使用されることを表す。さらに、フラグのＢｉｔ１が１に等しい場合、ＳＬＰＩＤ表示方法が使用されることを表すとともに、フラグのＢｉｔ２が１に等しい場合、ショート・ベーシック表示方法が使用されることを表す。本発明の実施例において３ビットが前記フラグに対し使用されるが、本発明は、これに限定されず且つあらゆる数のビットが使用される。例えば、ただ１ビットが使用され、前記フラグのビットが０に等しい場合、ＳＬＰＩＤ表示手段が使用されることが表される。前記フラグのビットが１に等しい場合、マップ表示手段が使用されることが表される。
【国際調査報告】
2008547254.tif 000010
2008547254.tif 000011
2008547254.tif 000012
2008547254.tif 000013
2008547254.tif 000014
2008547254.tif 000015